(57)【特許請求の範囲】
【請求項１】
１画素を構成するサブ画素に対応した画素値を補正する画像処理装置であって、
表示画面内の基準位置における表示画素を構成する、一の色成分のサブ画素に対応した表示サブ画素の表示位置と他の色成分のサブ画素に対応した表示サブ画素の表示位置とのずれ量を記憶するずれ量記憶部と、
前記ずれ量記憶部に記憶されたずれ量に応じて、前記表示画面の端部の表示サブ画素に対応した前記サブ画素の画素値を補正する画素値補正部とを含み、
前記画素値補正部は、
前記端部における表示画素を構成する複数の表示サブ画素のうち所与の方向において前記表示画面の中央部から最も近い表示サブ画素を基準表示サブ画素として選択する基準表示サブ画素選択部と、
前記ずれ量記憶部に記憶されたずれ量に基づいて、前記基準表示サブ画素選択部により選択された前記基準表示サブ画素の表示位置を基準に、前記複数の表示サブ画素のうち前記基準表示サブ画素を除く残りの表示サブ画素のずれ量を算出する表示サブ画素ずれ量算出部と、
前記表示サブ画素ずれ量算出部により算出されたずれ量に基づいて、前記複数の表示サブ画素のうち前記基準表示サブ画素を除く残りの表示サブ画素に対応したサブ画素の画素値を補正する画素値補正演算部とを含む
ことを特徴とする画像処理装置。
【請求項２】
請求項１において、
前記ずれ量記憶部は、
前記表示画面内の複数の基準位置において、前記表示サブ画素の表示位置のずれ量を記憶し、
前記画素値補正部は、
前記ずれ量記憶部に記憶された複数の基準位置における前記表示サブ画素の表示位置のずれ量を補間して前記端部の表示サブ画素の表示位置のずれ量を算出し、該ずれ量に応じて前記端部の表示サブ画素に対応したサブ画素の画素値を補正することを特徴とする画像処理装置。
【請求項３】
請求項１又は２において、
１画素が少なくともＲ成分のサブ画素、Ｇ成分のサブ画素、及びＢ成分のサブ画素により構成され、
前記ずれ量記憶部は、
前記基準位置における表示画素を構成するＧ成分のサブ画素に対応した表示サブ画素の表示位置を基準に、該表示画素を構成するＲ成分のサブ画素に対応した表示サブ画素の表示位置のずれ量、及び該表示画素を構成するＢ成分のサブ画素に対応した表示サブ画素の表示位置のずれ量を記憶することを特徴とする画像処理装置。
【請求項４】
請求項１乃至３のいずれかにおいて、
前記画素値補正部は、
前記表示画面の左端部、右端部、上端部、又は下端部のうち少なくとも１つの端部の表示サブ画素に対応したサブ画素の画素値を補正することを特徴とする画像処理装置。
【請求項５】
請求項１乃至４のいずれかにおいて、
前記画素値補正部は、
前記端部の表示サブ画素に対応したサブ画素の輝度値を補正することを特徴とする画像処理装置。
【請求項６】
請求項１乃至５のいずれか記載の画像処理装置と、
前記画像処理装置によって補正されたサブ画素の画素値に基づいて画像表示を行う画像表示部とを含むことを特徴とする画像表示装置。
【請求項７】
１画素を構成するサブ画素に対応した画素値を補正する画像処理方法であって、
表示画面の端部の表示サブ画素に対応したサブ画素の画素値を取得する画素値取得ステップと、
前記表示画面内の基準位置における表示画素を構成する、一の色成分の前記サブ画素に対応した表示サブ画素の表示位置と他の色成分のサブ画素に対応した表示サブ画素の表示位置とのずれ量に応じて、前記表示画面の端部の表示サブ画素に対応したサブ画素の画素値を補正する画素値補正ステップとを含み、
前記画素値補正ステップは、
前記端部における表示画素を構成する複数の表示サブ画素のうち所与の方向において前記表示画面の中央部から最も近い表示サブ画素を基準表示サブ画素として選択する基準表示サブ画素選択ステップと、
前記基準位置におけるずれ量に基づいて、前記基準表示サブ画素選択ステップにより選択された前記基準表示サブ画素の表示位置を基準に、前記複数の表示サブ画素のうち前記基準表示サブ画素を除く残りの表示サブ画素のずれ量を算出する表示サブ画素ずれ量算出ステップと、
前記表示サブ画素ずれ量算出ステップにより算出されたずれ量に基づいて、前記複数の表示サブ画素のうち前記基準表示サブ画素を除く残りの表示サブ画素に対応したサブ画素の画素値を補正する画素値補正演算ステップとを含む
ことを特徴とする画像処理方法。
【発明の詳細な説明】
【技術分野】
【０００１】
本発明は、画像処理装置、画像表示装置及び画像処理方法に関する。
【背景技術】
【０００２】
近年、大画面テレビジョンやプロジェクタ等の高性能な画像表示装置が広く普及しており、これらの画像表示装置においては、より一層、表示画像の高画質化が重要となっている。特に、設置の自由度が高く、いわゆるズーム機能により表示画像のサイズを簡単に調整できる画像表示装置として重宝されているプロジェクタについては、コンテンツ自体の高画質化により、より一層の高画質化に対する要求が強まっている。
【０００３】
このようなプロジェクタに関し、特許文献１には、ライトバルブとして透過型のマトリックス形液晶表示装置を用いたプロジェクタが開示されている。このプロジェクタは、複数のダイクロイックミラーを備え、光源からの光を複数のダイクロイックミラーによりＲ、Ｇ、Ｂの３原色に分離し、それぞれの光を液晶表示装置に透過させた後に、投射レンズを介してスクリーンに投射する。このとき、ミラー等の光学的手段によって２次元的な表示画素配置が一致するように液晶表示装置の透過光を合成させる。
【０００４】
この種のプロジェクタでは、例えばマトリックス形液晶表示装置の画素数を増加させてコンテンツに対応した画像信号に基づく光変調を行って画像表示を行うことで、表示画像の高画質化を図ることができる。
【０００５】
【特許文献１】特開昭６１−１５０４８７号公報
【発明の開示】
【発明が解決しようとする課題】
【０００６】
しかしながら、プロジェクタの光学系の色収差や、光学系の構成部材の位置調整手段の調整精度等に起因して、スクリーン上において、１画素を構成するサブ画素に対応した表示サブ画素の表示位置のずれが生じる。このため、例えばスクリーンの表示画像のエッジ部分において、解像感の低下や偽色の発生を伴い、表示画像の画質の劣化を招くという問題がある。このようなサブ画素に対応した表示サブ画素の表示位置のずれ量は、表示画素数が少ないときは無視できる程度であったが、表示画素数の増大に伴い表示位置のずれが目立つようになり、スクリーン上における表示サブ画素の表示位置のずれに起因した画質の劣化を招きやすくなる傾向にある。
【０００７】
本発明は、以上のような技術的課題に鑑みてなされたものであり、その目的とするところは、１画素を構成するサブ画素に対応した表示サブ画素の表示位置のずれに起因する表示画像の画質の低下を抑えることができる画像処理装置、画像表示装置及び画像処理方法を提供することにある。
【課題を解決するための手段】
【０００８】
上記課題を解決するために本発明は、１画素を構成するサブ画素に対応した画素値を補正する画像処理装置であって、表示画面内の基準位置における表示画素を構成する、サブ画素に対応した表示サブ画素の表示位置のずれ量を記憶するずれ量記憶部と、前記表示画面内の目的表示位置における表示画素を構成するサブ画素に対応した基準表示サブ画素を選択し、前記ずれ量記憶部に記憶されたずれ量に応じて、該表示基準サブ画素を基準に当該表示画素を構成する残りの表示サブ画素に対応したサブ画素の画素値を補正する画素値補正部とを含む画像処理装置に関係する。
【０００９】
本発明によれば、表示画面内の基準位置における表示画素を構成する表示サブ画素であって、サブ画素に対応した表示サブ画素の表示位置のずれ量を記憶しておき、表示画面内の目的表示位置における表示画素を構成する基準表示サブ画素を選択し、該基準表示サブ画素を基準に残りの表示サブ画素に対応したサブ画素の画素値を補正するようにしたので、目的表示位置における表示画素を構成する表示サブ画素の表示位置がずれた場合であっても、表示画面内の目的表示位置における解像感の低下や偽色の発生を抑え、表示画面の画質の低下を抑えることができるようになる。
【００１０】
また本発明は、１画素を構成するサブ画素に対応した画素値を補正する画像処理装置であって、表示画面内の基準位置における表示画素を構成し前記サブ画素に対応した表示サブ画素の表示位置のずれ量を記憶するずれ量記憶部と、前記ずれ量記憶部に記憶されたずれ量に応じて、前記表示画面の端部の表示サブ画素に対応した前記サブ画素の画素値を補正する画素値補正部とを含む画像処理装置に関係する。
【００１１】
本発明によれば、表示画面内の基準位置における表示画素を構成する表示サブ画素であって、サブ画素に対応した表示サブ画素の表示位置のずれ量を記憶しておき、表示画面の端部における表示画素を構成する表示サブ画素の画素値を補正するようにしたので、最も偽色が発生しやすい位置である表示画面の端部における表示画素を構成する表示サブ画素の表示位置がずれた場合であっても、端部における解像感の低下や偽色の発生を抑えることができるようになる。
【００１２】
また本発明に係る画像処理装置では、前記ずれ量記憶部は、前記表示画面内の複数の基準位置において、前記表示サブ画素の表示位置のずれ量を記憶し、前記画素値補正部は、前記ずれ量記憶部に記憶された複数の基準位置における前記表示サブ画素の表示位置のずれ量を補間して前記端部の表示サブ画素の表示位置のずれ量を算出し、該ずれ量に応じて前記端部の表示サブ画素に対応したサブ画素の画素値を補正することができる。
【００１３】
本発明によれば、ずれ量記憶部の記憶容量を削減することができるようになり、上記の効果に加えて画像処理装置の低コスト化も図ることができるようになる。
【００１４】
また本発明に係る画像処理装置では、前記画素値補正部は、前記端部における表示画素を構成する複数の表示サブ画素のうち所与の方向において前記表示画面の中央部から最も近い表示サブ画素を基準表示サブ画素として選択する基準表示サブ画素選択部と、前記ずれ量記憶部に記憶されたずれ量に基づいて、前記基準表示サブ画素選択部により選択された前記基準表示サブ画素の表示位置を基準に、前記複数の表示サブ画素のうち前記基準表示サブ画素を除く残りの表示サブ画素のずれ量を算出する表示サブ画素ずれ量算出部と、前記表示サブ画素ずれ量算出部により算出されたずれ量に基づいて、前記複数の表示サブ画素のうち前記基準表示サブ画素を除く残りの表示サブ画素に対応したサブ画素の画素値を補正する画素値補正演算部とを含むことができる。
【００１５】
本発明によれば、表示画面の端部における表示画素を構成するすべての表示サブ画素に対応したサブ画素の画素値を補正することなく、画素値の補正対象となるサブ画素を限定することができるので、表示画面の端部における表示画素を構成する表示サブ画素の表示位置がずれた場合であっても、少ない処理負荷で、端部における解像感の低下や偽色の発生を抑えることができるようになる。
【００１６】
また本発明に係る画像処理装置では、１画素が少なくともＲ成分のサブ画素、Ｇ成分のサブ画素、及びＢ成分のサブ画素により構成され、前記ずれ量記憶部は、前記基準位置における表示画素を構成するＧ成分のサブ画素に対応した表示サブ画素の表示位置を基準に、該表示画素を構成するＲ成分のサブ画素に対応した表示サブ画素の表示位置のずれ量、及び該表示画素を構成するＢ成分のサブ画素に対応した表示サブ画素の表示位置のずれ量を記憶することができる。
【００１７】
本発明によれば、ずれ量記憶部の記憶容量を削減することができるようになり、上記の効果に加えて画像処理装置の低コスト化も図ることができるようになる。
【００１８】
また本発明に係る画像処理装置では、前記画素値補正部は、前記表示画面の左端部、右端部、上端部、又は下端部のうち少なくとも１つの端部の表示サブ画素に対応したサブ画素の画素値を補正することができる。
【００１９】
本発明によれば、最も偽色が発生しやすい位置である表示画面の端部における表示画素を構成する表示サブ画素の表示位置がずれた場合であっても、端部における解像感の低下や偽色の発生を抑えることができるようになる。
【００２０】
また本発明に係る画像処理装置では、前記画素値補正部は、前記端部の表示サブ画素に対応したサブ画素の輝度値を補正することができる。
【００２１】
本発明によれば、簡素な処理で、表示画面の端部における表示画素を構成する表示サブ画素の表示位置がずれた場合であっても、端部における解像感の低下や偽色の発生を抑えることができるようになる。
【００２２】
また本発明は、上記のいずれか記載の画像処理装置と、前記画像処理装置によって補正されたサブ画素の画素値に基づいて画像表示を行う画像表示部とを含む画像表示装置に関係する。
【００２３】
本発明によれば、１画素を構成するサブ画素に対応した表示サブ画素の表示位置のずれに起因する表示画像の画質の低下を抑える画像表示装置を提供できるようになる。
【００２４】
また本発明は、１画素を構成するサブ画素に対応した画素値を補正する画像処理方法であって、表示画面の端部の表示サブ画素に対応したサブ画素の画素値を取得する画素値取得ステップと、前記表示画面内の基準位置における表示画素を構成し前記サブ画素に対応した表示サブ画素の表示位置のずれ量に応じて、前記表示画面の端部の表示サブ画素に対応したサブ画素の画素値を補正する画素値補正ステップとを含む画像処理方法に関係する。
【００２５】
本発明によれば、表示画面内の基準位置における表示画素を構成する表示サブ画素であって、サブ画素に対応した表示サブ画素の表示位置のずれ量を記憶しておき、表示画面の端部における表示画素を構成する表示サブ画素の画素値を補正するようにしたので、最も偽色が発生しやすい位置である表示画面の端部における表示画素を構成する表示サブ画素の表示位置がずれた場合であっても、端部における解像感の低下や偽色の発生を抑えることができるようになる。
【発明を実施するための最良の形態】
【００２６】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００２７】
以下では、本発明に係る画像表示装置としてプロジェクタを例に説明するが、本発明に係る画像表示装置がプロジェクタに限定されるものではない。即ち、１画素を構成するサブ画素に対応した表示サブ画素の表示位置のずれに起因した画質の低下は、プロジェクタに限らず種々の画質表示装置でも起こり得る現象であると考えられるため、本発明に係る画像表示装置はプロジェクタに限定されるものではない。
【００２８】
図１に、本発明に係る実施形態における画像表示装置が適用された画像表示システムの構成例のブロック図を示す。
【００２９】
本実施形態における画像表示システム１０は、画像表示装置としてのプロジェクタ２０と、スクリーンＳＣＲとを含む。プロジェクタ２０には、１画素を構成する複数のサブ画素の各サブ画素の画素値を有する入力画像信号が入力される。プロジェクタ２０は、該入力画像信号に基づいて図示しない光源からの光を変調し、変調後の光をスクリーンＳＣＲに投射する。
【００３０】
プロジェクタ２０は、画像表示部１００と、画像処理部（広義には画像処理装置）２００とを含む。画像処理部２００には入力画像信号が入力され、サブ画素に対応したスクリーンＳＣＲ上での表示サブ画素の表示位置のずれに起因した偽色の発生を抑えるように該入力画像信号を補正し、補正後の画像信号を画像表示部１００に供給する。ここで、偽色は、本来的に意図しない画像の色（表示させたい画像には存在しない色）をいう。
【００３１】
画像表示部１００は、画像処理部２００によって補正された画像信号に基づいて、図示しない光源からの光を変調し、変調後の光を用いてスクリーンＳＣＲに投射する。スクリーンＳＣＲに投射された投射画像（表示画像）の画素（表示画素）は、プロジェクタ２０が有する光変調部（光変調素子）の画素のスクリーンＳＣＲ上の像である輝点を有し、投射画像の画素は光変調部の画素に対応付けられる。
【００３２】
以下では、光変調部の画素に対応するスクリーンＳＣＲ上に表示された画素を表示画素という。また、光変調部の画素を構成するサブ画素に対応するスクリーンＳＣＲ上に表示された画素を表示サブ画素という。この場合、表示画素は表示サブ画素により構成される。
【００３３】
スクリーンＳＣＲ上での表示サブ画素の表示位置のずれに起因した偽色の発生を抑えるように入力画像信号を補正する画像処理部２００は、ずれ量記憶部２１０と、画素値補正部２２０とを含む。
【００３４】
ずれ量記憶部２１０は、表示画面内の基準位置における表示画素を構成するサブ画素に対応した表示サブ画素の表示位置のずれ量を記憶する。例えば、ずれ量は、所与の画素測定手段によりスクリーンＳＣＲの表示画面内の基準位置の画素の測定結果に対応した値としてずれ量記憶部２１０に記憶される。
【００３５】
画素値補正部２２０は、ずれ量記憶部２１０に記憶されたずれ量に応じて、プロジェクタ２０（画像表示部１００）によりスクリーンＳＣＲに投射された表示画面（投射画面）内の目的表示位置の表示サブ画素に対応したサブ画素の画素値を補正する。より具体的には、画素値補正部２２０は、表示画面内の目的表示位置における表示画素を構成しサブ画素に対応した基準表示サブ画素を選択し、ずれ量記憶部２１０に記憶されたずれ量に応じて、該表示基準サブ画素を基準に当該表示画素を構成する残りの表示サブ画素に対応したサブ画素の画素値を補正する。なお、画素値補正部２２０は、サブ画素の画素値として輝度値を補正することが望ましい。
【００３６】
目的表示位置は、サブ画素に対応したスクリーンＳＣＲ上での表示サブ画素の表示位置のずれがあっても偽色の発生を抑えたい位置である。このような目的表示位置は、例えばプロジェクタ２０がスクリーンＳＣＲに投射した画面（表示画面）の端部（最端部、縁部、境界部）とすることができる。この場合、画素値補正部２２０は、ずれ量記憶部２１０に記憶されたずれ量に応じて、表示画面内の端部の表示サブ画素に対応したサブ画素の画素値を補正する。スクリーンＳＣＲの表示画面の端部は画面のエッジ部であり、輝度が急激に変化する部分であるため、本実施形態における補正処理を行わないときには偽色が発生しやすい部分である。
【００３７】
以下では、１画素がＲ成分のサブ画素、Ｇ成分のサブ画素、及びＢ成分のサブ画素により構成されるものとして、本実施形態におけるプロジェクタ２０の画像表示部１００、画像処理部２００について説明するが、本実施形態が、１画素を構成するサブ画素数（色成分数）に限定されるものではない。
【００３８】
図２に、図１の画像表示部１００の構成例を示す。図２では、本実施形態におけるプロジェクタ２０の画像表示部１００が、いわゆる３板式の液晶プロジェクタにより構成されるものとして説明するが、本発明に係る画像表示装置の画像表示部がいわゆる３板式の液晶プロジェクタにより構成されるものに限定されるものではない。
【００３９】
画像表示部１００は、光源１１０、インテグレータレンズ１１２、１１４、偏光変換素子１１６、重畳レンズ１１８、Ｒ用ダイクロイックミラー１２０Ｒ、Ｇ用ダイクロイックミラー１２０Ｇ、反射ミラー１２２、Ｒ用フィールドレンズ１２４Ｒ、Ｇ用フィールドレンズ１２４Ｇ、Ｒ用液晶パネル１３０Ｒ（第１の光変調部）、Ｇ用液晶パネル１３０Ｇ（第２の光変調部）、Ｂ用液晶パネル１３０Ｂ（第３の光変調部）、リレー光学系１４０、クロスダイクロイックプリズム１６０、投射レンズ１７０を含む。Ｒ用液晶パネル１３０Ｒ、Ｇ用液晶パネル１３０Ｇ及びＢ用液晶パネル１３０Ｂとして用いられる液晶パネルは、透過型の液晶表示装置である。リレー光学系１４０は、リレーレンズ１４２、１４４、１４６、反射ミラー１４８、１５０を含む。
【００４０】
光源１１０は、例えば超高圧水銀ランプにより構成され、少なくともＲ成分の光、Ｇ成分の光、Ｂ成分の光を含む光を射出する。インテグレータレンズ１１２は、光源１１０からの光を複数の部分光に分割するための複数の小レンズを有する。インテグレータレンズ１１４は、インテグレータレンズ１１２の複数の小レンズに対応する複数の小レンズを有する。重畳レンズ１１８は、インテグレータレンズ１１２の複数の小レンズから射出される部分光を重畳する。
【００４１】
また偏光変換素子１１６は、偏光分離膜とλ／２板とを有し、ｐ偏光を透過させると共にｓ偏光を反射させ、ｐ偏光をｓ偏光に変換する。この偏光変換素子１１６からのｓ偏光が、重畳レンズ１１８に照射される。
【００４２】
重畳レンズ１１８によって重畳された光は、Ｒ用ダイクロイックミラー１２０Ｒに入射される。Ｒ用ダイクロイックミラー１２０Ｒは、Ｒ成分の光を反射して、Ｇ成分及びＢ成分の光を透過させる機能を有する。Ｒ用ダイクロイックミラー１２０Ｒを透過した光は、Ｇ用ダイクロイックミラー１２０Ｇに照射され、Ｒ用ダイクロイックミラー１２０Ｒにより反射した光は反射ミラー１２２により反射されてＲ用フィールドレンズ１２４Ｒに導かれる。
【００４３】
Ｇ用ダイクロイックミラー１２０Ｇは、Ｇ成分の光を反射して、Ｂ成分の光を透過させる機能を有する。Ｇ用ダイクロイックミラー１２０Ｇを透過した光は、リレー光学系１４０に入射され、Ｇ用ダイクロイックミラー１２０Ｇにより反射した光はＧ用フィールドレンズ１２４Ｇに導かれる。
【００４４】
リレー光学系１４０では、Ｇ用ダイクロイックミラー１２０Ｇを透過したＢ成分の光の光路長と他のＲ成分及びＧ成分の光の光路長との違いをできるだけ小さくするために、リレーレンズ１４２、１４４、１４６を用いて光路長の違いを補正する。リレーレンズ１４２を透過した光は、反射ミラー１４８によりリレーレンズ１４４に導かれる。リレーレンズ１４４を透過した光は、反射ミラー１５０によりリレーレンズ１４６に導かれる。リレーレンズ１４６を透過した光は、Ｂ用液晶パネル１３０Ｂに照射される。
【００４５】
Ｒ用フィールドレンズ１２４Ｒに照射された光は、平行光に変換されてＲ用液晶パネル１３０Ｒに入射される。Ｒ用液晶パネル１３０Ｒは、光変調素子（光変調部）として機能し、Ｒ用画像信号に基づいて透過率（通過率、変調率）が変化するようになっている。従って、Ｒ用液晶パネル１３０Ｒに入射された光（第１の色成分の光）は、Ｒ用画像信号に基づいて変調され、変調後の光がクロスダイクロイックプリズム１６０に入射される。
【００４６】
Ｇ用フィールドレンズ１２４Ｇに照射された光は、平行光に変換されてＧ用液晶パネル１３０Ｇに入射される。Ｇ用液晶パネル１３０Ｇは、光変調素子（光変調部）として機能し、Ｇ用画像信号に基づいて透過率（通過率、変調率）が変化するようになっている。従って、Ｇ用液晶パネル１３０Ｇに入射された光（第２の色成分の光）は、Ｇ用画像信号に基づいて変調され、変調後の光がクロスダイクロイックプリズム１６０に入射される。
【００４７】
リレーレンズ１４２、１４４、１４６で平行光に変換された光が照射されるＢ用液晶パネル１３０Ｂは、光変調素子（光変調部）として機能し、Ｂ用画像信号に基づいて透過率（通過率、変調率）が変化するようになっている。従って、Ｂ用液晶パネル１３０Ｂに入射された光（第３の色成分の光）は、Ｂ用画像信号に基づいて変調され、変調後の光がクロスダイクロイックプリズム１６０に入射される。
【００４８】
Ｒ用液晶パネル１３０Ｒ、Ｇ用液晶パネル１３０Ｇ、Ｂ用液晶パネル１３０Ｂは、それぞれ同様の構成を有している。各液晶パネルは、電気光学物質である液晶を一対の透明なガラス基板に密閉封入したものであり、例えばポリシリコン薄膜トランジスタをスイッチング素子として、各サブ画素の画像信号に対応して各色光の通過率を変調する。
【００４９】
本実施形態では、１画素を構成する色成分毎に光変調部としての液晶パネルが設けられ、各液晶パネルの透過率がサブ画素に対応した画像信号により制御される。即ち、Ｒ成分のサブ画素用の画像信号が、Ｒ用液晶パネル１３０Ｒの透過率（通過率、変調率）の制御に用いられ、Ｇ成分のサブ画素用の画像信号が、Ｇ用液晶パネル１３０Ｇの透過率の制御に用いられ、Ｂ成分のサブ画素用の画像信号が、Ｂ用液晶パネル１３０Ｂの透過率の制御に用いられる。本実施形態におけるプロジェクタ２０では、各色成分用の画像信号が補正され、補正後の画像信号が色成分毎に設けられた各液晶パネルに供給されて液晶パネル毎に透過率が制御される。
【００５０】
クロスダイクロイックプリズム１６０は、Ｒ用液晶パネル１３０Ｒ、Ｇ用液晶パネル１３０Ｇ及びＢ用液晶パネル１３０Ｂからの入射光を合成した合成光を出射光として出力する機能を有する。投射レンズ１７０は、出力画像をスクリーンＳＣＲ上に拡大して結像させるレンズであり、ズーム倍率に応じて画像を拡大又は縮小させる機能を有する。
【００５１】
以上のような構成を有する本実施形態における画像表示部１００は、上述のようにサブ画素に対応した表示サブ画素の表示位置のずれ量に応じて補正された画像信号に基づいて変調された光をスクリーンＳＣＲに投射することができる。そして、プロジェクタ２０は、画像処理部２００によって補正されたサブ画素の画素値に基づいて画像表示を行う画像表示部１００を含むことができる。
【００５２】
次に、図１の画像処理部２００の各部について説明する。
【００５３】
図３に、図１の画像処理部２００のずれ量記憶部２１０に記憶されるずれ量の説明図を示す。図３は、プロジェクタ２０により投射されたスクリーンＳＣＲ上の投射画面（表示画面）ＤＳＰを模式的に表す。図３において、図１と同一部分には同一符号を付し、適宜説明を省略する。
図４に、図１のずれ量記憶部２１０の説明図を示す。
【００５４】
本実施形態では、表示画面内の基準位置として、スクリーンＳＣＲ上の表示画面ＤＳＰの４隅の画素位置Ｐ１〜Ｐ４が採用される。画素位置Ｐ１は、表示画面ＤＳＰの左端部（最左端部）を構成する画素群の位置の１つであり、表示画面ＤＳＰの上端部（最上端部）を構成する画素群の位置の１つである。画素位置Ｐ２は、表示画面ＤＳＰの上端部を構成する画素群の位置の１つであり、表示画面ＤＳＰの右端部（最右端部）を構成する画素群の位置の１つである。画素位置Ｐ３は、表示画面ＤＳＰの左端部を構成する画素群の位置の１つであり、表示画面ＤＳＰの下端部（最下端部）を構成する画素群の位置の１つである。画素位置Ｐ４は、表示画面ＤＳＰの右端部を構成する画素群の位置の１つであり、表示画面ＤＳＰの下端部を構成する画素群の位置の１つである。
【００５５】
そして、ずれ量記憶部２１０は、４隅の画素位置Ｐ１〜Ｐ４の各画素位置における表示画素を構成する表示サブ画素の表示位置のずれ量を記憶する。即ち、ずれ量記憶部２１０は、表示画面ＤＳＰ内の複数の端部（基準位置）において、表示サブ画素の表示位置のずれ量を記憶する。
【００５６】
また本実施形態では、ずれ量記憶部２１０には、４隅の画素位置Ｐ１〜Ｐ４の各画素位置（基準位置）について、１画素を構成するＲ成分、Ｇ成分及びＢ成分のサブ画素のうち、Ｇ成分のサブ画素に対応した表示サブ画素の表示位置を基準に、該表示画素を構成するＲ成分のサブ画素に対応した表示サブ画素の表示位置のずれ量、及び該表示画素を構成するＢ成分のサブ画素に対応した表示サブ画素の表示位置のずれ量が記憶される。これにより、ずれ量記憶部２１０の記憶容量を削減することができ、画像処理部２００や画像処理部２００を含むプロジェクタ２０の低コスト化を図ることができるようになる。また、人間の目に認識しやすいＧ成分を基準とすることで、ずれ量を用いた処理を扱いやすくできる。
【００５７】
ここで、図３の表示画面ＤＳＰの水平方向の画素数をｍ（ｍは２以上の自然数）、垂直方向の画素数をｎ（ｎは２以上の自然数）とすると、画素位置Ｐ１は（１，１）、画素位置Ｐ２は（ｍ，１）、画素位置Ｐ３は（１，ｎ）、画素位置Ｐ４は（ｍ，ｎ）である。そして、図４に示すように、画素位置Ｐ１の表示画素を構成するＧ成分の表示サブ画素の表示位置を基準に、Ｒ成分の表示サブ画素の水平方向（ｘ方向）のずれ量ΔＲ１１ｘ、Ｒ成分の表示サブ画素の垂直方向（ｙ方向）のずれ量ΔＲ１１ｙ、画素位置Ｐ１の表示画素を構成するＧ成分の表示サブ画素の表示位置を基準に、Ｂ成分の表示サブ画素の水平方向のずれ量ΔＢ１１ｘ、Ｂ成分の表示サブ画素の垂直方向のずれ量ΔＢ１１ｙが、画素位置Ｐ１に対応したずれ量としてずれ量記憶部２１０に記憶される。
【００５８】
同様に、画素位置Ｐ２の表示画素を構成するＧ成分の表示サブ画素の表示位置を基準に、Ｒ成分の表示サブ画素の水平方向のずれ量ΔＲｍ１ｘ、Ｒ成分の表示サブ画素の垂直方向のずれ量ΔＲｍ１ｙ、画素位置Ｐ２の表示画素を構成するＧ成分の表示サブ画素の表示位置を基準に、Ｂ成分の表示サブ画素の水平方向のずれ量ΔＢｍ１ｘ、Ｂ成分の表示サブ画素の垂直方向のずれ量ΔＢｍ１ｙが、画素位置Ｐ２に対応したずれ量としてずれ量記憶部２１０に記憶される。また、画素位置Ｐ３の表示画素を構成するＧ成分の表示サブ画素の表示位置を基準に、Ｒ成分の表示サブ画素の水平方向のずれ量ΔＲ１ｎｘ、Ｒ成分の表示サブ画素の垂直方向のずれ量ΔＲ１ｎｙ、画素位置Ｐ３の表示画素を構成するＧ成分の表示サブ画素の表示位置を基準に、Ｂ成分の表示サブ画素の水平方向のずれ量ΔＢ１ｎｘ、Ｂ成分の表示サブ画素の垂直方向のずれ量ΔＢ１ｎｙが、画素位置Ｐ３に対応したずれ量としてずれ量記憶部２１０に記憶される。更に、画素位置Ｐ４の表示画素を構成するＧ成分の表示サブ画素の表示位置を基準に、Ｒ成分の表示サブ画素の水平方向のずれ量ΔＲｍｎｘ、Ｒ成分の表示サブ画素の垂直方向のずれ量ΔＲｍｎｙ、画素位置Ｐ４の表示画素を構成するＧ成分の表示サブ画素の表示位置を基準に、Ｂ成分の表示サブ画素の水平方向のずれ量ΔＢｍｎｘ、Ｂ成分の表示サブ画素の垂直方向のずれ量ΔＢｍｎｙが、画素位置Ｐ４に対応したずれ量としてずれ量記憶部２１０に記憶される。
【００５９】
そして、画素値補正部２２０は、サブ画素の画素値をずれ量に応じて補正するのに先立って、ずれ量記憶部２１０に記憶されたずれ量を補間することで、表示画面ＤＳＰの目的表示位置の画素位置における表示画素を構成する表示サブ画素の表示位置のずれ量を求める。即ち、画素値補正部２２０は、ずれ量記憶部２１０に記憶された複数の基準位置における表示サブ画素の表示位置のずれ量を補間して表示画面ＤＳＰの端部の表示サブ画素の表示位置のずれ量を算出し、該ずれ量に応じて表示画面ＤＳＰの端部の表示サブ画素に対応したサブ画素の画素値を補正する。
【００６０】
図５に、図１の画素値補正部２２０の構成例のブロック図を示す。
【００６１】
画素値補正部２２０は、基準表示サブ画素選択部２２２と、表示サブ画素ずれ量算出部２２４と、画素値補正演算部２２６とを含む。
【００６２】
基準表示サブ画素選択部２２２は、スクリーンＳＣＲの表示画面ＤＳＰの端部における表示画素を構成する複数の表示サブ画素のうち所与の方向において表示画面ＤＳＰの中央部Ｃ１（図３を参照）から最も近い表示サブ画素を基準表示サブ画素として選択する。ここで、表示画面ＤＳＰの左端部又は右端部の場合は、端部における表示画素を構成する複数の表示サブ画素のうち水平方向（ｘ方向）において表示画面ＤＳＰの中央部Ｃ１から最も近い表示サブ画素を基準表示サブ画素として選択する。表示画面ＤＳＰの上端部又は下端部の場合は、端部における表示画素を構成する複数の表示サブ画素のうち垂直方向（ｙ方向）において表示画面ＤＳＰの中央部Ｃ１から最も近い表示サブ画素を基準表示サブ画素として選択する。
【００６３】
表示サブ画素ずれ量算出部２２４は、ずれ量記憶部２１０に記憶されたずれ量に基づいて、基準表示サブ画素選択部２２２により選択された基準表示サブ画素の表示位置を基準に、表示画面ＤＳＰの端部における表示画素を構成する複数の表示サブ画素のうち基準表示サブ画素を除く残りの表示サブ画素のずれ量を算出する。
【００６４】
画素値補正演算部２２６は、表示サブ画素ずれ量算出部２２４により算出されたずれ量に基づいて、表示画面ＤＳＰの端部における表示画素を構成する複数の表示サブ画素のうち基準表示サブ画素を除く残りの表示サブ画素に対応したサブ画素の画素値を補正する。画素値補正演算部２２６は、補正後の画像信号を図１の画像表示部１００に出力する。
【００６５】
これにより、表示画面ＤＳＰの端部における表示画素を構成するすべての表示サブ画素に対応したサブ画素の画素値を補正することなく、画素値の補正対象となるサブ画素を限定することができるので、表示画面ＤＳＰの端部における表示画素を構成する表示サブ画素の表示位置がずれた場合であっても、少ない処理負荷で、端部における解像感の低下や偽色の発生を抑えることができるようになる。
【００６６】
なお、画素値補正部２２０は、表示画面ＤＳＰの左端部、右端部、上端部、及び下端部のすべての端部の表示画素を構成する表示サブ画素に対応したサブ画素の画素値を補正する必要はない。例えば、画素値補正部２２０は、表示画面ＤＳＰの左端部、右端部、上端部、及び下端部のうち少なくとも１つの端部の表示サブ画素に対応したサブ画素の画素値を補正してもよい。
【００６７】
以上のような構成を有するプロジェクタ２０では、スクリーンＳＣＲ上での表示画面の端部において上述のように画素値を、偽色の発生を抑えるように補正することで、スクリーンＳＣＲの投射画像の画質の低下を防止できるようになる。
【００６８】
図６（Ａ）、図６（Ｂ）に、本実施形態における画像処理部２００における画素値の補正処理を行わない場合のスクリーンＳＣＲの投射画面の説明図を示す。図６（Ａ）は、投射画面内の表示画素を構成する表示サブ画素の表示位置がずれている状態で、サブ画素の画素値を補正することなくスクリーンＳＣＲに投射した様子を模式的に表したものである。なお、図６（Ａ）では、説明の便宜上、表示画素を構成する表示サブ画素が画面内において一様にずれているものとして示している。図６（Ｂ）は、スクリーンＳＣＲの投射画面のイメージを模式的に表したものである。
【００６９】
図７（Ａ）、図７（Ｂ）に、本実施形態における画像処理部２００における画素値の補正処理を行う場合のスクリーンＳＣＲの投射画面の説明図を示す。図７（Ａ）は、投射画面内の表示画素を構成する表示サブ画素の表示位置がずれている状態で、サブ画素の画素値を補正することなくスクリーンＳＣＲに投射した様子を模式的に表したものである。なお、図７（Ａ）では、説明の便宜上、表示画素を構成する表示サブ画素が画面内において一様にずれているものとして示している。図７（Ｂ）は、スクリーンＳＣＲの投射画面のイメージを模式的に表したものである。
【００７０】
Ｒ成分の表示サブ画素の表示位置、Ｇ成分の表示サブ画素の表示位置、及びＢ成分の表示サブ画素の表示位置が、図６（Ａ）に示すように互いにずれ、且つＢ成分の表示サブ画素が表示画面ＤＳＰの右方向に寄っているものとする。そして、図６（Ａ）に示すように、Ｂ成分の表示サブ画素の表示位置が表示画面ＤＳＰの下方向に寄っているものとする。
【００７１】
このとき、スクリーンＳＣＲに全白の画像を投射した場合であっても、図６（Ｂ）に示すように、投射画面の端部のうち左側の端部にはシアン、右側の端部には赤、下側には赤と青、上側には黄が偽色として表れてしまう。
【００７２】
これに対して、本実施形態では、表示画面（投射画面）ＤＳＰの端部について、上述のように画素値の補正を行うことで、図７（Ａ）に示すように、Ｒ成分の表示サブ画素の表示位置、Ｇ成分の表示サブ画素の表示位置、及びＢ成分の表示サブ画素の表示位置が互いにずれていた場合であっても、図７（Ｂ）に示すように偽色の発生を抑えることができる。従って、本実施形態によれば、スクリーンＳＣＲ上の表示画像において解像感の低下や偽色の発生がなく、サブ画素に対応した表示サブ画素の表示位置がずれた場合でも、画像の低下を防止できるようになる。
【００７３】
以下では、このような画素値の補正を行うことができる画像処理部２００の処理例について詳細に説明する。
【００７４】
図８に、図１の画像処理部２００のハードウェア構成例のブロック図を示す。
【００７５】
画像処理部２００は、ＣＰＵ３００、Ｉ／Ｆ回路３１０、読み出し専用メモリ（Read Only Memory：ＲＯＭ）３２０、ランダムアクセスメモリ（Random Access Memory:ＲＡＭ）３３０、バス３４０を有し、バス３４０を介して、ＣＰＵ３００、Ｉ／Ｆ回路３１０、ＲＯＭ３２０、ＲＡＭ３３０は電気的に接続されている。
【００７６】
例えばＲＯＭ３２０又はＲＡＭ３３０には、画像処理部２００の機能を実現するプログラムが記憶される。ＣＰＵ３００は、ＲＯＭ３２０又はＲＡＭ３３０に記憶されたプログラムを読み出し、該プログラムに対応した処理を実行することで、上述の画像処理部２００の機能をソフトウェア処理で実現できる。即ち、ＲＯＭ３２０又はＲＡＭ３３０に記憶されたプログラムを読み込んで該プログラムに対応した処理を行うＣＰＵ３００により、図１の画素値補正部２２０の処理が実現される。なお、ＲＡＭ３３０は、ＣＰＵ３００による処理の作業エリアとして用いられたり、ずれ量記憶部２１０の機能を実現したり、Ｉ／Ｆ回路３１０やＲＯＭ３２０のバッファエリアとして用いられたりする。なお、ＲＯＭ３２０が、図１のずれ量記憶部２１０の機能を実現してもよい。Ｉ／Ｆ回路３１０は、図示しない画像信号生成装置からの画像信号の入力インタフェース処理を行う。
【００７７】
図９に、図１の画像処理部２００の処理例のフロー図を示す。例えば図８のＲＯＭ３２０又はＲＡＭ３３０には、図９に示す処理を実現するためのプログラムが格納されており、ＣＰＵ３００がＲＯＭ３２０又はＲＡＭ３３０に格納されたプログラムを読み出して該プログラムに対応した処理を実行することで、図９に示す処理をソフトウェア処理により実現できる。
【００７８】
まず、ずれ量取得ステップとして、画像処理部２００は、ずれ量記憶部２１０において記憶されていたずれ量を取得する（ステップＳ１０）。より具体的には、画像処理部２００は、処理対象の画素に対応したずれ量を、画素値の補正処理に先立って取得しておく。例えば、ずれ量記憶部２１０には、スクリーンＳＣＲへの投射画面上の全表示画素のうち離散的にいくつかの表示画素に対応したずれ量のみが格納されており、画像処理部２００が、ずれ量記憶部２１０から読み出したずれ量を補間することで処理対象の画素に対応した表示画素のずれ量を取得する。また例えば、ずれ量記憶部２１０には、スクリーンＳＣＲへの投射画面上の全表示画素に対応したずれ量が格納されており、画像処理部２００が、処理対象に対応したずれ量を読み出すようにしてもよい。
【００７９】
その後、画素値取得ステップとして、画像処理部２００は、処理対象の画素又はその修理の画素の画素値を取得する（ステップＳ１２）。そして、画素値補正ステップとして、画像処理部２００は、処理対象の画素の画素値を、サブ画素毎に表示サブ画素のずれ量に応じて補正し（ステップＳ１４）、補正後の画素値を画像表示部１００に出力して一連の処理を終了する（エンド）。
【００８０】
図１０に、図９のステップＳ１４の処理例のフロー図を示す。例えば図８のＲＯＭ３２０又はＲＡＭ３３０には、図１０に示す処理を実現するためのプログラムが格納されており、ＣＰＵ３００がＲＯＭ３２０又はＲＡＭ３３０に格納されたプログラムを読み出して該プログラムに対応した処理を実行することで、図１０に示す処理をソフトウェア処理により実現できる。
【００８１】
画像処理部２００は、まず左端部補正ステップとして、表示画面ＤＳＰの左端部（最左端部）の画素の補正処理を行う（ステップＳ２０）。ここで、左端部の画素とは、例えば図３の画素位置Ｐ１の画素と画素位置Ｐ３の画素とを結ぶ画素群であり、表示画面ＤＳＰの左側の端部の画素を構成する。
【００８２】
次に、右端部補正ステップとして、画像処理部２００は、表示画面ＤＳＰの右端部（最右端部）の画素の補正処理を行う（ステップＳ２２）。ここで、右端部の画素とは、例えば図３の画素位置Ｐ２の画素と画素位置Ｐ４の画素とを結ぶ画素群であり、表示画面ＤＳＰの右側の端部の画素を構成する。
【００８３】
続いて、上端部補正ステップとして、画像処理部２００は、表示画面ＤＳＰの上端部（最上端部）の画素の補正処理を行う（ステップＳ２４）。ここで、上端部の画素とは、例えば図３の画素位置Ｐ１の画素と画素位置Ｐ２の画素とを結ぶ画素群であり、表示画面ＤＳＰの上側の端部の画素を構成する。
【００８４】
その後、下端部補正ステップとして、画像処理部２００は、表示画面ＤＳＰの下端部（最下端部）の画素の補正処理を行い（ステップＳ２６）、一連の処理を終了する（エンド）。ここで、下端部の画素とは、例えば図３の画素位置Ｐ３の画素と画素位置Ｐ４の画素とを結ぶ画素群であり、表示画面ＤＳＰの下側の端部の画素を構成する。
【００８５】
なお、本実施形態は、図９のステップＳ１４において図１０で説明した順序で処理するものに限定されるものではなく、図１０で説明した順序以外の順序で処理してもよい。
【００８６】
図１０のステップＳ２０、ステップＳ２２、ステップＳ２４、ステップＳ２４は、処理対象の画素の選択順序と当該処理の補間処理に用いる周辺画素とを除いて同様の処理であるため、以下では、図１０のステップＳ２０について処理例について説明する。
【００８７】
図１１に、図１０のステップＳ２０の処理例のフロー図を示す。例えば図８のＲＯＭ３２０又はＲＡＭ３３０には、図１１に示す処理を実現するためのプログラムが格納されており、ＣＰＵ３００がＲＯＭ３２０又はＲＡＭ３３０に格納されたプログラムを読み出して該プログラムに対応した処理を実行することで、図１１に示す処理をソフトウェア処理により実現できる。
【００８８】
ここで、ずれ量記憶部２１０が、図３及び図４に示すように画素位置Ｐ１〜Ｐ４のずれ量のみを記憶しているものとする。このとき、画像処理部２００の画素値補正部２２０は、処理画素ずれ量算出ステップとして、例えば図５の表示サブ画素ずれ量算出部２２４において、処理対象の画素（処理画素）のずれ量を算出する（ステップＳ３０）。
【００８９】
図１２に、図１１のステップＳ３０の処理の説明図を示す。
図１３に、図１１のステップＳ３０の詳細な処理例を示す。
【００９０】
図１１のステップＳ３０では、画素値補正部２２０の表示サブ画素ずれ量算出部２２４が、表示画面ＤＳＰの左端部を構成する表示画素を構成する表示サブ画素のずれ量を、ずれ量記憶部２１０に記憶される画素位置Ｐ１、Ｐ３の表示画素に対応したずれ量を用いて算出する。例えば、左端部を構成する図１２の表示画素Ｑ１を構成する表示サブ画素のずれ量は、水平方向及び垂直方向のそれぞれについて、画素位置Ｐ１の表示画素を構成する表示サブ画素に対応したずれ量、画素位置Ｐ３の表示画素を構成する表示サブ画素に対応したずれ量を用いた線形補間により算出される。
【００９１】
ここで、図１３を用いて、表示画面ＤＳＰの左上の画素（画素位置Ｐ１の画素）を原点として、垂直方向にｒ画素だけ正方向（下方向）に位置する画素位置Ｑｒの画素に対応したずれ量を算出する例を説明する。画素位置Ｑｒは、画素位置Ｐ３に対してｓ画素だけ負方向（上方向）に位置するものとする。
【００９２】
表示画面ＤＳＰの左端部を構成する画素のうち図１３の画素位置Ｑｒのずれ量を算出する場合、表示サブ画素ずれ量算出部２２４は、画素位置Ｐ１の画素に対応したずれ量ΔＲ１１、ΔＢ１１（Ｇ成分の表示サブ画素を基準）、画素位置Ｐ３の画素に対応したずれ量ΔＲ１ｎ、ΔＢ１ｎを用いた補間処理を行って、画素位置Ｑｒの表示画素を構成する表示サブ画素のずれ量ΔＲ１ｒ、ΔＢ１ｒを算出する。ここで、ずれ量ΔＲ１ｒは、ｘ方向（水平方向）のずれ量ΔＲ１ｒｘ、ｙ方向（垂直方向）のずれ量ΔＲ１ｒｙを有し、以下の式のように求められる。
【００９３】
ΔＲ１ｒｘ＝ΔＲ１１ｘ×ｓ／ｎ＋ΔＲ１ｎｘ×ｒ／ｎ    ・・・（１）
ΔＲ１ｒｙ＝ΔＲ１１ｙ×ｓ／ｎ＋ΔＲ１ｎｙ×ｒ／ｎ    ・・・（２）
【００９４】
また、ずれ量ΔＢ１ｒは、ｘ方向のずれ量ΔＢ１ｒｘ、ｙ方向のずれ量ΔＢ１ｒｙを有し、以下の式のように求められる。
【００９５】
ΔＢ１ｒｘ＝ΔＢ１１ｘ×ｓ／ｎ＋ΔＢ１ｎｘ×ｒ／ｎ    ・・・（３）
ΔＢ１ｒｙ＝ΔＢ１１ｙ×ｓ／ｎ＋ΔＢ１ｎｙ×ｒ／ｎ    ・・・（４）
【００９６】
なお、図１０の例えばステップＳ２４において表示画面ＤＳＰの上端部の画素の補正処理を行うときには、表示画面ＤＳＰの上端部を構成する表示画素を構成する表示サブ画素のずれ量を、ずれ量記憶部２１０に記憶される画素位置Ｐ１、Ｐ２の表示画素に対応したずれ量を用いて算出する。
【００９７】
図１１において、上記のように表示サブ画素ずれ量算出部２２４が処理画素のずれ量を算出すると、基準表示サブ画素選択ステップとして、画素値補正部２２０は、基準表示サブ画素選択部２２２において、左端部（端部）における表示画素を構成する複数の表示サブ画素のうち、水平方向において表示画面ＤＳＰの中央部Ｃ１から最も近い表示サブ画素を基準表示サブ画素として選択する（ステップＳ３２）。
【００９８】
図１４に、図１１のステップＳ３２の説明図を示す。
【００９９】
図１１のステップＳ３０では、Ｇ成分の表示サブ画素の表示位置を基準に、左端部ＬＴにおける表示画素を構成するＲ成分及びＢ成分の表示サブ画素の表示位置のずれ量が求められている。そのため、画素位置Ｐ１から画素位置Ｐ２に向かう方向を正方向（負方向）と定めた場合、Ｇ成分の表示サブ画素のずれ量である「０」とステップＳ３０で求めたずれ量のうちの最大値（最小値）となるずれ量を有する表示サブ画素が基準表示サブ画素となる。即ち、基準表示サブ画素選択部２２２は、「０」とステップＳ３０で求めたずれ量のうち「０」が最大値のときＧ成分の表示サブ画素を基準表示サブ画素として選択し、Ｒ成分の表示サブ画素のずれ量が最大値のときＲ成分の表示サブ画素を基準表示サブ画素として選択し、Ｂ成分の表示サブ画素のずれ量が最大値のときＢ成分の表示サブ画素を基準表示サブ画素として選択する。
【０１００】
なお、画素位置Ｐ１から画素位置Ｐ２に向かう方向を正方向（負方向）と定めた場合、図１０の例えばステップＳ２２において表示画面ＤＳＰの右端部ＲＴの画素の補正処理を行うとき、基準表示サブ画素選択部２２２は、Ｇ成分の表示サブ画素のずれ量である「０」とステップＳ３０で求めた水平方向のずれ量のうちの最小値（最大値）となるずれ量を有する表示サブ画素を基準表示サブ画素として選択する。
【０１０１】
また、画素位置Ｐ１から画素位置Ｐ３に向かう方向を正方向（負方向）と定めた場合、図１０の例えばステップＳ２４において表示画面ＤＳＰの上端部ＵＴの画素の補正処理を行うとき、基準表示サブ画素選択部２２２は、Ｇ成分の表示サブ画素のずれ量である「０」とステップＳ３０で求めた垂直方向のずれ量のうちの最小値（最大値）となるずれ量を有する表示サブ画素を基準表示サブ画素として選択する。
【０１０２】
更に、画素位置Ｐ１から画素位置Ｐ３に向かう方向を正方向（負方向）と定めた場合、図１０の例えばステップＳ２６において表示画面ＤＳＰの下端部ＤＴの画素の補正処理を行うとき、基準表示サブ画素選択部２２２は、Ｇ成分の表示サブ画素のずれ量である「０」とステップＳ３０で求めた垂直方向のずれ量のうちの最大値（最小値）となるずれ量を有する表示サブ画素を基準表示サブ画素として選択する。
【０１０３】
図１１において、上記のように基準表示サブ画素選択部２２２が基準表示サブ画素を選択すると、表示サブ画素ずれ量算出ステップとして、表示サブ画素ずれ量算出部２２４は、ずれ量記憶部２１０に記憶されたずれ量に基づいて、基準表示サブ画素選択部２２２により選択された基準表示サブ画素の表示位置を基準に、左端部における表示画素を構成する複数の表示サブ画素のうち基準表示サブ画素を除く残りの表示サブ画素のずれ量を算出する（ステップＳ３４）。
【０１０４】
そして、画素値補正部２２０の画素値補正演算部２２６は、左端部における当該サブ画素に対応した画素値とその周辺部のサブ画素に対応した画素値とを取得する（ステップＳ３６）。その後、画素値補正演算部２２６は、表示サブ画素ずれ量算出部２２４により算出されたずれ量に基づいて、左端部における表示画素を構成する複数の表示サブ画素のうち基準表示サブ画素を除く残りの表示サブ画素に対応したサブ画素の画素値を補正し（ステップＳ３８）、一連の処理を終了する（エンド）。
【０１０５】
図１５（Ａ）、図１５（Ｂ）、図１５（Ｃ）、図１５（Ｄ）に、図１１のステップＳ３２〜ステップＳ３８の説明図を示す。図１５（Ａ）〜図１５（Ｄ）は、説明を簡略化するため、画素位置Ｐ１付近の画素のうち丸い波線で囲んだ画素（１，２）を構成するサブ画素の補正処理を例に示す。図１５（Ａ）〜図１５（Ｄ）では、Ｒ成分の表示サブ画素を「○」印、Ｇ成分の表示サブ画素を「×」印、Ｂ成分の表示サブ画素を「△」印で表している。
【０１０６】
図１１のステップＳ３０において処理画素のずれ量を算出すると、基準表示サブ画素選択部２２２は、関数ｍａｘ（ΔＲ１２ｘ，ΔＢ１２ｘ，０）（関数ｍａｘは引数の最大値を求める関数）の結果に応じて、基準表示サブ画素を選択する。ここでは、図１５（Ａ）に示すように、基準表示サブ画素をＲ成分の表示サブ画素とする。
【０１０７】
次に、表示サブ画素ずれ量算出部２２４は、基準表示サブ画素であるＲ成分の表示サブ画素を基準に、Ｇ成分の表示サブ画素のずれ量とＢ成分の表示サブ画素のずれ量とを求める。図１５（Ｂ）において、Ｇ成分のｘ方向のずれ量をＸｇ、Ｇ成分のｙ方向のずれ量をＹｇ、Ｂ成分のｘ方向のずれ量をＸｂ、Ｂ成分のｙ方向のずれ量をＹｂとする。なお、図１５（Ｂ）では、ｘ軸方向のずれ量のみを図示している。
【０１０８】
この結果、表示サブ画素ずれ量算出部２２４が求める各ずれ量は、次のようになる。
Ｘｇ＝−ΔＲ１２ｘ                ・・・（５）
Ｙｇ＝−ΔＲ１２ｙ                ・・・（６）
Ｘｂ＝−ΔＲ１２ｘ＋ΔＢ１２ｘ    ・・・（７）
Ｙｂ＝−ΔＲ１２ｙ＋ΔＢ１２ｙ    ・・・（８）
【０１０９】
続いて、画素値補正演算部２２６は、図１５（Ｃ）に示すように、当該表示画素を構成する表示サブ画素に対応した画素値と、当該表示画素の周辺の表示画素を構成する表示サブ画素に対応した画素値とを取得する。ここでは、当該表示画素を構成する表示サブ画素に対応した画素値を、Ｒｉｎ１２、Ｇｉｎ１２、Ｂｉｎ１２とする。
【０１１０】
そして、画素値補正演算部２２６は、図１５（Ｄ）に示すように、基準表示サブ画素として選択したＲ成分のサブ画素については補正することなくそのまま出力し、Ｇ成分及びＢ成分のサブ画素については補正する。なお、Ｇ成分及びＢ成分については、Ｙｇの符号及びＹｂの符号に応じて補間処理に用いる周辺画素を構成するサブ画素を異ならせている。
【０１１１】
例えば、画素ピッチを「１」、サブ画素のずれ量は１未満として、Ｙｇ＜０のときＧ成分の補正後の画素値を、以下のように補正する。
Gout12=Gin11×(-Yg)×(1+Xg)+Gin12×(1+Yg)×(1+Xg)     ・・・（９）
【０１１２】
また、Ｙｇ≧０のときＧ成分の補正後の画素値を、以下のように補正する。
Gout12=Gin12×(1-Yg)×(1+Xg)+Gin13×(Yg)×(1+Xg)     ・・・（１０）
【０１１３】
画素値補正演算部２２６は、Ｂ成分についてもＧ成分と同様に補正後のサブ画素の画素値を求める。即ち、Ｙｂ＜０のときＢ成分の補正後の画素値を、以下のように補正する。
Bout12=Bin11×(-Yb)×(1+Xb)+Bin12×(1+Yb)×(1+Xb)     ・・・（１１）
【０１１４】
また、Ｙｂ≧０のときＢ成分の補正後の画素値を、以下のように補正する。
Bout12=Bin12×(1-Yb)×(1+Xb)+Bin13×(Yb)×(1+Xb)     ・・・（１２）
【０１１５】
以上のように、図１０のステップＳ２０に示すように、表示画面ＤＳＰの左端部の画素を構成するサブ画素の画素値を、サブ画素に対応した表示サブ画素のずれ量に応じて補正することができる。
【０１１６】
図１６（Ａ）、図１６（Ｂ）、図１６（Ｃ）、図１６（Ｄ）に、表示画面ＤＳＰの右端部の画素を構成するサブ画素の画素値を補正する処理の説明図を示す。図１６（Ａ）〜図１６（Ｄ）は、表示画面ＤＳＰの右端部の画素を構成するサブ画素の画素値を補正する際に、図１１のステップＳ３２〜ステップＳ３８の処理に相当する。図１６（Ａ）〜図１６（Ｄ）は、説明を簡略化するため、画素位置Ｐ２付近の画素のうち丸い波線で囲んだ画素（ｍ，２）を構成するサブ画素の補正処理を例に示す。図１６（Ａ）〜図１６（Ｄ）では、Ｒ成分の表示サブ画素を「○」印、Ｇ成分の表示サブ画素を「×」印、Ｂ成分の表示サブ画素を「△」印で表している。
【０１１７】
図１１のステップＳ３０において処理画素のずれ量を算出すると、基準表示サブ画素選択部２２２は、関数ｍｉｎ（ΔＲｍ２ｘ，ΔＢｍ２ｘ，０）（関数ｍａｘは引数の最小値を求める関数）の結果に応じて、基準表示サブ画素を選択する。ここでは、図１６（Ａ）に示すように、基準表示サブ画素をＧ成分の表示サブ画素とする。
【０１１８】
次に、表示サブ画素ずれ量算出部２２４は、基準表示サブ画素であるＧ成分の表示サブ画素を基準に、Ｒ成分の表示サブ画素のずれ量とＢ成分の表示サブ画素のずれ量とを求める。図１６（Ｂ）において、Ｒ成分のｘ方向のずれ量をＸｒ、Ｒ成分のｙ方向のずれ量をＹｒ、Ｂ成分のｘ方向のずれ量をＸｂ、Ｂ成分のｙ方向のずれ量をＹｂとする。なお、図１６（Ｂ）では、ｘ軸方向のずれ量のみを図示している。
【０１１９】
この結果、表示サブ画素ずれ量算出部２２４が求める各ずれ量は、次のようになる。
Ｘｒ＝ΔＲｍ２ｘ    ・・・（１３）
Ｙｇ＝ΔＲｍ２ｙ    ・・・（１４）
Ｘｂ＝ΔＢｍ２ｘ    ・・・（１５）
Ｙｂ＝ΔＢｍ２ｙ    ・・・（１６）
【０１２０】
続いて、画素値補正演算部２２６は、図１６（Ｃ）に示すように、当該表示画素を構成する表示サブ画素に対応した画素値と、当該表示画素の周辺の表示画素を構成する表示サブ画素に対応した画素値とを取得する。ここでは、当該表示画素を構成する表示サブ画素に対応した画素値を、Ｒｉｎｍ２、Ｇｉｎｍ２、Ｂｉｎｍ２とする。
【０１２１】
そして、画素値補正演算部２２６は、図１６（Ｄ）に示すように、基準表示サブ画素として選択したＧ成分のサブ画素については補正することなくそのまま出力し、Ｒ成分及びＢ成分のサブ画素については補正する。なお、Ｒ成分及びＢ成分については、Ｙｒの符号及びＹｂの符号に応じて補間処理に用いる周辺画素を構成するサブ画素を異ならせている。
【０１２２】
例えば、画素ピッチを「１」、サブ画素のずれ量は１未満として、Ｙｒ＜０のときＧ成分の補正後の画素値を、以下のように補正する。
Routm2=Rinm1×(-Yr)×(1+Xr)+Rinm2×(1+Yr)×(1+Xr)     ・・・（１７）
【０１２３】
また、Ｙｒ≧０のときＲ成分の補正後の画素値を、以下のように補正する。
Routm2=Rinm2×(1-Yr)×(1+Xr)+Rinm3×(Yr)×(1+Xr)     ・・・（１８）
【０１２４】
画素値補正演算部２２６は、Ｂ成分についてもＲ成分と同様に補正後のサブ画素の画素値を求める。即ち、Ｙｂ＜０のときＢ成分の補正後の画素値を、以下のように補正する。
Boutm2=Binm1×(-Yb)×(1+Xb)+Binm2×(1+Yb)×(1+Xb)     ・・・（１９）
【０１２５】
また、Ｙｂ≧０のときＢ成分の補正後の画素値を、以下のように補正する。
Boutm2=Binm2×(1-Yb)×(1+Xb)+Binm3×(Yb)×(1+Xb)     ・・・（２０）
【０１２６】
以上のように、図１０のステップＳ２２に示すように、表示画面ＤＳＰの右端部の画素を構成するサブ画素の画素値を、サブ画素に対応した表示サブ画素のずれ量に応じて補正することができる。
【０１２７】
図１７（Ａ）、図１７（Ｂ）、図１７（Ｃ）、図１７（Ｄ）に、表示画面ＤＳＰの上端部の画素を構成するサブ画素の画素値を補正する処理の説明図を示す。図１７（Ａ）〜図１７（Ｄ）は、表示画面ＤＳＰの上端部の画素を構成するサブ画素の画素値を補正する際に、図１１のステップＳ３２〜ステップＳ３８の処理に相当する。図１７（Ａ）〜図１７（Ｄ）は、説明を簡略化するため、画素位置Ｐ１付近の画素のうち丸い波線で囲んだ画素（２，２）を構成するサブ画素の補正処理を例に示す。図１７（Ａ）〜図１７（Ｄ）では、Ｒ成分の表示サブ画素を「○」印、Ｇ成分の表示サブ画素を「×」印、Ｂ成分の表示サブ画素を「△」印で表している。
【０１２８】
図１１のステップＳ３０において処理画素のずれ量を算出すると、基準表示サブ画素選択部２２２は、関数ｍａｘ（ΔＲ２１ｙ，ΔＢ２１ｙ，０）の結果に応じて、基準表示サブ画素を選択する。ここでは、図１７（Ａ）に示すように、基準表示サブ画素をＢ成分の表示サブ画素とする。
【０１２９】
次に、表示サブ画素ずれ量算出部２２４は、基準表示サブ画素であるＢ成分の表示サブ画素を基準に、Ｒ成分の表示サブ画素のずれ量とＧ成分の表示サブ画素のずれ量とを求める。図１７（Ｂ）において、Ｒ成分のｘ方向のずれ量をＸｒ、Ｒ成分のｙ方向のずれ量をＹｒ、Ｇ成分のｘ方向のずれ量をＸｇ、Ｇ成分のｙ方向のずれ量をＹｇとする。なお、図１７（Ｂ）では、ｙ軸方向のずれ量のみを図示している。
【０１３０】
この結果、表示サブ画素ずれ量算出部２２４が求める各ずれ量は、次のようになる。
Ｘｒ＝−ΔＢ２１ｘ＋ΔＲ２１ｘ    ・・・（２１）
Ｙｒ＝−ΔＢ２１ｙ＋ΔＲ２１ｙ    ・・・（２２）
Ｘｇ＝−ΔＢ２１ｘ                ・・・（２３）
Ｙｇ＝−ΔＢ２１ｙ                ・・・（２４）
【０１３１】
続いて、画素値補正演算部２２６は、図１７（Ｃ）に示すように、当該表示画素を構成する表示サブ画素に対応した画素値と、当該表示画素の周辺の表示画素を構成する表示サブ画素に対応した画素値とを取得する。ここでは、当該表示画素を構成する表示サブ画素に対応した画素値を、Ｒｉｎ２１、Ｇｉｎ２１、Ｂｉｎ２１とする。
【０１３２】
そして、画素値補正演算部２２６は、図１７（Ｄ）に示すように、基準表示サブ画素として選択したＢ成分のサブ画素については補正することなくそのまま出力し、Ｒ成分及びＧ成分のサブ画素については補正する。なお、Ｒ成分及びＧ成分については、Ｘｒの符号及びＸｇの符号に応じて補間処理に用いる周辺画素を構成するサブ画素を異ならせている。
【０１３３】
例えば、画素ピッチを「１」、サブ画素のずれ量は１未満として、Ｘｒ＜０のときＲ成分の補正後の画素値を、以下のように補正する。
Rout21=Rin11×(-Xr)×(1+Yr)+Rin21×(1+Xr)×(1+Yr)     ・・・（２５）
【０１３４】
また、Ｘｒ≧０のときＲ成分の補正後の画素値を、以下のように補正する。
Rout21=Rin21×(1-Xr)×(1+Yr)+Rin31×(Xr)×(1+Yr)     ・・・（２６）
【０１３５】
画素値補正演算部２２６は、Ｇ成分についてもＲ成分と同様に補正後のサブ画素の画素値を求める。即ち、Ｘｇ＜０のときＧ成分の補正後の画素値を、以下のように補正する。
Gout21=Gin11×(-Xg)×(1+Yg)+Gin21×(1+Xg)×(1+Yg)     ・・・（２７）
【０１３６】
また、Ｘｇ≧０のときＧ成分の補正後の画素値を、以下のように補正する。
Gout21=Gin21×(1-Xg)×(1+Yg)+Gin31×(Xg)×(1+Yg)     ・・・（２８）
【０１３７】
以上のように、図１０のステップＳ２４に示すように、表示画面ＤＳＰの上端部の画素を構成するサブ画素の画素値を、サブ画素に対応した表示サブ画素のずれ量に応じて補正することができる。
【０１３８】
図１８（Ａ）、図１８（Ｂ）、図１８（Ｃ）、図１８（Ｄ）に、表示画面ＤＳＰの下端部の画素を構成するサブ画素の画素値を補正する処理の説明図を示す。図１８（Ａ）〜図１８（Ｄ）は、表示画面ＤＳＰの下端部の画素を構成するサブ画素の画素値を補正する際に、図１１のステップＳ３２〜ステップＳ３８の処理に相当する。図１８（Ａ）〜図１８（Ｄ）は、説明を簡略化するため、画素位置Ｐ３付近の画素のうち丸い波線で囲んだ画素（２，ｎ）を構成するサブ画素の補正処理を例に示す。図１８（Ａ）〜図１８（Ｄ）では、Ｒ成分の表示サブ画素を「○」印、Ｇ成分の表示サブ画素を「×」印、Ｂ成分の表示サブ画素を「△」印で表している。
【０１３９】
図１１のステップＳ３０において処理画素のずれ量を算出すると、基準表示サブ画素選択部２２２は、関数ｍｉｎ（ΔＲ２ｎｙ，ΔＢ２ｎｙ，０）の結果に応じて、基準表示サブ画素を選択する。ここでは、図１８（Ａ）に示すように、基準表示サブ画素をＧ成分の表示サブ画素とする。
【０１４０】
次に、表示サブ画素ずれ量算出部２２４は、基準表示サブ画素であるＧ成分の表示サブ画素を基準に、Ｒ成分の表示サブ画素のずれ量とＢ成分の表示サブ画素のずれ量とを求める。図１８（Ｂ）において、Ｒ成分のｘ方向のずれ量をＸｒ、Ｒ成分のｙ方向のずれ量をＹｒ、Ｂ成分のｘ方向のずれ量をＸｂ、Ｂ成分のｙ方向のずれ量をＹｂとする。なお、図１８（Ｂ）では、ｙ軸方向のずれ量のみを図示している。
【０１４１】
この結果、表示サブ画素ずれ量算出部２２４が求める各ずれ量は、次のようになる。
Ｘｒ＝ΔＲ２ｎｘ    ・・・（２９）
Ｙｒ＝ΔＲ２ｎｙ    ・・・（３０）
Ｘｂ＝ΔＢ２ｎｘ    ・・・（３１）
Ｙｂ＝ΔＢ２ｎｙ    ・・・（３２）
【０１４２】
続いて、画素値補正演算部２２６は、図１８（Ｃ）に示すように、当該表示画素を構成する表示サブ画素に対応した画素値と、当該表示画素の周辺の表示画素を構成する表示サブ画素に対応した画素値とを取得する。ここでは、当該表示画素を構成する表示サブ画素に対応した画素値を、Ｒｉｎ２ｎ、Ｇｉｎ２ｎ、Ｂｉｎ２ｎとする。
【０１４３】
そして、画素値補正演算部２２６は、図１８（Ｄ）に示すように、基準表示サブ画素として選択したＧ成分のサブ画素については補正することなくそのまま出力し、Ｒ成分及びＢ成分のサブ画素については補正する。なお、Ｒ成分及びＢ成分については、Ｘｒの符号及びＸｂの符号に応じて補間処理に用いる周辺画素を構成するサブ画素を異ならせている。
【０１４４】
例えば、画素ピッチを「１」、サブ画素のずれ量は１未満として、Ｘｒ＜０のときＲ成分の補正後の画素値を、以下のように補正する。
Rout2n=Rin1n×(-Xr)×(1+Yr)+Rin2n×(1+Xr)×(1+Yr)     ・・・（３３）
【０１４５】
また、Ｘｒ≧０のときＲ成分の補正後の画素値を、以下のように補正する。
Rout2n=Rin2n×(1-Xr)×(1+Yr)+Rin3n×(Xr)×(1+Yr)     ・・・（３４）
【０１４６】
画素値補正演算部２２６は、Ｂ成分についてもＲ成分と同様に補正後のサブ画素の画素値を求める。即ち、Ｘｂ＜０のときＢ成分の補正後の画素値を、以下のように補正する。
Bout2n=Bin1n×(-Xb)×(1+Yb)+Bin2n×(1+Xb)×(1+Yb)     ・・・（３５）
【０１４７】
また、Ｘｂ≧０のときＢ成分の補正後の画素値を、以下のように補正する。
Bout2n=Bin2n×(1-Xb)×(1+Yb)+Bin3n×(Xb)×(1+Yb)     ・・・（３６）
【０１４８】
以上のように、図１０のステップＳ２６に示すように、表示画面ＤＳＰの下端部の画素を構成するサブ画素の画素値を、サブ画素に対応した表示サブ画素のずれ量に応じて補正することができる。
【０１４９】
以上説明したように、本実施形態においては、プロジェクタの光学系の色収差や、光学系の構成部材の位置調整手段の調整精度等に起因して、スクリーン上において表示画素を構成する表示サブ画素の表示位置のずれが生じた場合であっても、表示サブ画素の表示位置のずれ量に応じてサブ画素の画素値を補正できるため、表示位置のずれに起因した偽色の発生を抑えることができる。従って、本実施形態によれば、表示サブ画素の表示位置のずれに起因する表示画像の画質の低下を抑えることができるようになる。
【０１５０】
以上、本発明に係る画像処理装置、画像表示装置及び画像処理方法を上記の実施形態に基づいて説明したが、本発明は上記の実施形態に限定されるものではなく、その要旨を逸脱しない範囲において種々の態様において実施することが可能であり、例えば次のような変形も可能である。
【０１５１】
（１）上記の実施形態では、１画素を３つの色成分のサブ画素で構成されるものとして説明したが、本発明はこれに限定されるものではない。１画素を構成する色成分数が２、又は４以上であってもよい。
【０１５２】
（２）上記の実施形態では、Ｇ成分の表示サブ画素の表示位置を基準にＲ成分の表示サブ画素の表示位置のずれ量やＢ成分の表示サブ画素の表示位置のずれ量をずれ量記憶部に記憶しているものとして説明したが、本発明はこれに限定されるものではない。例えば、Ｒ成分の表示サブ画素の表示位置やＢ成分の表示サブ画素の表示位置を基準に、他の色成分の表示サブ画素の表示位置のずれ量をずれ量記憶部に記憶していてもよい。また、１画素を構成する複数の色成分の中から基準となる色成分を選択することなく、所与の基準画素の表示画素（表示サブ画素）の表示位置を基準に各色成分の表示サブ画素のずれ量を定義してもよい。
【０１５３】
（３）上記の実施形態では、光変調部としてライトバルブを用いるものとして説明したが、本発明はこれに限定されるものではない。光変調部として、例えばＤＬＰ（Digital Light Processing)（登録商標）、ＬＣＯＳ（Liquid Crystal On Silicon)等を採用してもよい。
【０１５４】
（４）上記の実施形態では、光変調部として、いわゆる３板式の透過型の液晶パネルを用いたライトバルブを例に説明したが、４板式以上の透過型の液晶パネルを用いたライトバルブを採用してもよい。
【０１５５】
（５）上記の実施形態において、本発明を、画像処理装置、画像表示装置及び画像処理方法として説明したが、本発明はこれに限定されるものではない。例えば、本発明を実現するための画像処理方法の処理手順が記述されたプログラムや、該プログラムが記録された記録媒体であってもよい。
【図面の簡単な説明】
【０１５６】
【図１】本発明に係る実施形態における画像表示装置が適用された画像表示システムの構成例のブロック図。
【図２】図１の画像表示部の構成例を示す図。
【図３】図１の画像処理部のずれ量記憶部に記憶されるずれ量の説明図。
【図４】図１のずれ量記憶部の説明図。
【図５】図１の画素値補正部の構成例のブロック図。
【図６】図６（Ａ）、図６（Ｂ）は本実施形態における画像処理部における画素値の補正処理を行わない場合のスクリーンの投射画面の説明図。
【図７】図７（Ａ）、図７（Ｂ）は本実施形態における画像処理部における画素値の補正処理を行う場合のスクリーンの投射画面の説明図。
【図８】図１の画像処理部のハードウェア構成例のブロック図。
【図９】図１の画像処理部の処理例のフロー図。
【図１０】図９のステップＳ１４の処理例のフロー図。
【図１１】図１０のステップＳ２０の処理例のフロー図。
【図１２】図１１のステップＳ３０の処理の説明図。
【図１３】図１１のステップＳ３０の詳細な処理例の説明図。
【図１４】図１１のステップＳ３２の説明図。
【図１５】図１５（Ａ）、図１５（Ｂ）、図１５（Ｃ）、図１５（Ｄ）は図１１のステップＳ３２〜ステップＳ３８の説明図。
【図１６】図１６（Ａ）、図１６（Ｂ）、図１６（Ｃ）、図１６（Ｄ）は表示画面の右端部の画素を構成するサブ画素の画素値を補正する処理の説明図。
【図１７】図１７（Ａ）、図１７（Ｂ）、図１７（Ｃ）、図１７（Ｄ）は表示画面の上端部の画素を構成するサブ画素の画素値を補正する処理の説明図。
【図１８】図１８（Ａ）、図１８（Ｂ）、図１８（Ｃ）、図１８（Ｄ）は表示画面の下端部の画素を構成するサブ画素の画素値を補正する処理の説明図。
【符号の説明】
【０１５７】
１０…画像表示システム、  ２０…プロジェクタ、  １００…画像表示部、
１１０…光源、  １１２，１１４…インテグレータレンズ、  １１６…偏光変換素子、
１１８…重畳レンズ、  １２０Ｒ…Ｒ用ダイクロイックミラー、
１２０Ｇ…Ｇ用ダイクロイックミラー、  １２２，１４８，１５０…反射ミラー、
１２４Ｒ…Ｒ用フィールドレンズ、  １２４Ｇ…Ｇ用フィールドレンズ、
１３０Ｒ…Ｒ用液晶パネル、  １３０Ｇ…Ｇ用液晶パネル、
１３０Ｂ…Ｂ用液晶パネル、  １４０…リレー光学系、
１４２，１４４，１４６…リレーレンズ、  １６０…クロスダイクロイックプリズム、
１７０…投射レンズ、  ２００…画像処理部、  ２１０…ずれ量記憶部、
２２０…画素値補正部、  ２２２…基準表示サブ画素選択部、
２２４…表示サブ画素ずれ量算出部、  ２２６…画素値補正演算部、３００…ＣＰＵ、
３１０…Ｉ／Ｆ回路、  ３２０…ＲＯＭ、  ３３０…ＲＡＭ、  ３４０…バス、
ＳＣＲ…スクリーン
【図１】
0005251201.tif 000002
【図２】
0005251201.tif 000003
【図３】
0005251201.tif 000004
【図４】
0005251201.tif 000005
【図５】
0005251201.tif 000006
【図７】
0005251201.tif 000007
【図８】
0005251201.tif 000008
【図９】
0005251201.tif 000009
【図１０】
0005251201.tif 000010
【図１１】
0005251201.tif 000011
【図１２】
0005251201.tif 000012
【図１３】
0005251201.tif 000013
【図１４】
0005251201.tif 000014
【図１５】
0005251201.tif 000015
【図１６】
0005251201.tif 000016
【図１７】
0005251201.tif 000017
【図１８】
0005251201.tif 000018
【図６】
0005251201.tif 000019